(57)【要約】【課題】簡易な構成によってＡＦ補助光または照明光を発光させる。【解決手段】ＬＣＤパネル４０は支軸４３を中心にしてモニタモード（想像線参照），撮影モード（実線参照）に各々回転する。撮影モードにおいて、ＬＣＤパネル４０の表示画面から光（ＡＦ補助光）が発光するので、被写体または被写体の周囲が暗い場合でも、ＡＦの精度が向上し、ピンボケの少ない撮影画を得る。また、ＬＣＤパネル４０をその表示画面が撮影時での被写体に対向するよう連結部４２，支軸４３によって回転させ、バックライトの輝度がＡＦ補助光となるようバックライト調整部で高輝度に切換えるので、従来の技術よりも、構造が簡易になり、かつコストダウントになる。さらに、予め選択した輝度における色が撮影時に被写体に照射されるので、撮影画に色に関するアクセントを付すことができ、撮影画に照明効果を出すことができる。【選択図】  図６
2004229050.tif 000002
【特許請求の範囲】
【請求項１】
被写体を撮影する撮影手段と、
画像情報により示される画像を、表示画面に表示する表示手段と、
前記表示画面に、光を照射すると共に輝度を付与する光源と、
前記光源から前記表示画面に照射される光の輝度を切換える切換手段と、
前記表示画面が撮影時での被写体に対向するよう前記表示手段を移動させる移動手段と、
前記表示画面が前記被写体に対向する状態において、前記光源の輝度が前記被写体までの距離を測定するためのＡＦ補助光となるよう高輝度に、前記切換手段の切換えを制御する制御手段と、
を備える撮像装置。
【請求項２】
前記表示画面における発光色を選択する選択手段を設ける請求項１記載の撮像装置。
【発明の詳細な説明】
【０００１】
【発明の属する技術分野】
本発明は、画像情報により示される画像を表示する、たとえば液晶ディスプレイ（ＬＣＤ），有機ＥＬ（Ｅｌｅｃｔｒｏ−Ｌｕｍｉｎｅｓｃｅｎｃｅ）ディスプレイ，プラズマ・ディスプレイなどの表示手段を備える撮像装置に関するものである。
【０００２】
【従来の技術】
従来のデジタルカメラなどには、ＬＣＤなどの外部モニタと、撮影レンズから被写体までの距離を測定するためのＡＦ（Ａｕｔｏｍａｔｉｃ  Ｆｏｃｕｓ：自動合焦）補助光を発光するＡＦ発光装置とを備えたものがある。このＡＦ発光装置は、撮影レンズから被写体までの距離を測定し、その距離に応じてピントを調節するために使用されている。
【０００３】
一方、従来のデジタルカメラの中には、バックライト用蛍光管（光源）のリフレクタなどを回転させることにより、撮影時での被写体に上記光源からの光を照射させる液晶表示装置を備えるものがある（例えば、特許文献１参照）。即ち、特許文献１に係る技術は、リフレクタなどが上記被写体に向いている場合に、上記光源の輝度を上げることにより、上記液晶表示装置を撮影時におけるライト（照明）装置として利用するものである。
【０００４】
【特許文献１】
特開２００１−２３０９６１号公報
【０００５】
【発明が解決しようとする課題】
ところで、特許文献１のデジタルカメラでは、被写体または被写体の周囲が暗い場合、上記ＡＦ発光装置を使用しても、自動合焦が合い難くい場合がある。また、上記ＡＦ発光装置を設けることは、構造が複雑になると共に、高価になる。
【０００６】
さらに、特許文献１に係る技術では、光源からの光を被写体側に透過させるための透過窓，リフレクタを回転させる回転機構（特許文献１の図４乃至図６参照）が必要となり、または光源のみが被写体側へ向くよう光源側をＬＣＤ側に対しヒンジ（支軸）などで回転可能とする回転機構（特許文献１の図９乃至図１１参照）が必要となる。
【０００７】
即ち、特許文献１に係る技術では、リフレクタなどを回転させる回転機構または透明窓などが必要となり、構造が複雑になると共に、高価になる。また、特許文献１に係る技術は、その液晶表示装置を照明装置として利用するものであるが、上記光源の発光色を変更するものではない。
【０００８】
本発明の目的は、簡易な構成によってＡＦ補助光または照明光を発光させる撮像装置を提供することにある。
【０００９】
【課題を解決するための手段】
請求項１記載に係る撮像装置では、被写体を撮影する撮影手段と、画像情報により示される画像を、表示画面に表示する表示手段と、前記表示画面に、光を照射すると共に輝度を付与する光源と、前記光源から前記表示画面に照射される光の輝度を切換える切換手段と、前記表示画面が撮影時での被写体に対向するよう前記表示手段を移動させる移動手段と、前記表示画面が前記被写体に対向する状態において、前記光源の輝度が前記被写体までの距離を測定するためのＡＦ補助光となるよう高輝度に、前記切換手段の切換えを制御する制御手段と、を備えることを特徴とする。
【００１０】
表示手段の表示画面には、光を照射すると共に輝度を付与する光源により、画像情報により示される画像が表示される。表示手段をＡＦ時におけるＡＦ発光装置として利用する場合には、表示手段を表示画面が撮影時での被写体に対向するよう移動手段によって移動させる。制御手段は、表示画面が上記被写体に対向する状態において、光源の輝度が被写体までの距離を測定するためのＡＦ補助光となるよう高輝度に、切換手段の切換えを制御する。
【００１１】
そのため、請求項１記載に係る撮像装置では、表示手段の光源の光（ＡＦ補助光）が上記被写体に照射され、撮影レンズから被写体までの距離が測定される。即ち、請求項１記載に係る撮像装置によれば、被写体または被写体の周囲が暗い場合でも、表示手段の表示画面からＡＦ補助光が発光するので、ＡＦの精度が向上し、ピンボケの少ない撮影画を得ることができる。
【００１２】
また、請求項１記載に係る撮像装置によれば、表示手段を表示画面が撮影時での被写体に対向するよう移動手段によって移動させ、光源の輝度がＡＦ補助光となるよう切換手段で高輝度に切換える構成としたので、従来の技術よりも、構造が簡易になり、かつコストダウントになる。
【００１３】
請求項２記載に係る撮像装置では、請求項１記載の表示画面における発光色を選択する選択手段を設ける。上記表示手段を照明装置として利用する場合には、選択手段によって表示画面における発光色を選択する。そして、表示画面が被写体に対向する撮影時において、選択手段で選択された色が被写体に照射される。即ち、請求項２記載に係る撮像装置によれば、予め選択した色が撮影時に被写体に照射されるので、撮影画に色に関するアクセントを付すことができ、撮影画に照明効果を出すことができる。
【００１４】
なお、請求項２記載に係る発明では、色のほかに、請求項１記載の切換手段により、光源から表示画面に照射される光の輝度を切換えるようにしても良い。また、本発明に係る高輝度は、例えば表示画面の透過率が最大となるような白色で、かつ光源から表示画面に照射される光を最大の輝度（高輝度）とさせる場合を含む概念である。さらに、本発明に係る撮像装置は、デジタルスチルカメラ，デジタルビデオカメラ，撮像機能を備えた携帯電話，パーソナル・コンピュータ，ＰＤＡ（Ｐｅｒｓｏｎａｌ    Ｄｉｇｉｔａｌ  Ａｓｓｉｓｔａｎｃｅ）などを含む概念である。
【００１５】
【発明の実施の形態】
以下、図１乃至図７に基づいて、本実施形態に係る撮像装置のデジタルスチルカメラ（以下、単に「デジタルカメラ」という）について説明する。なお、図１は本実施形態に係るデジタルカメラの後面側から見た斜視図、図２は図１に示すデジタルカメラの側面図、図３は図１に示すデジタルカメラのブロック図、図４は図１に示すデジタルカメラの液晶ディスプレイ（ＬＣＤ）パネルを回転させた状態の斜視図、図５は図４に示すデジタルカメラの前面側から見た斜視図、図６は図５に示すデジタルカメラの側面図である。
【００１６】
図５に示すように、デジタルカメラ１０の前面１０Ａには、撮影する被写体の構図を決めるために用いられる光学フアインダ１１、被写体像を結像させるための撮影レンズ１２、露光に際して適正な露光光量が得られない低照度の場合に発光されるストロボ３０が配置されている。なお、撮影レンズ１２は、撮影手段の一部を構成する構成要素である。
【００１７】
デジタルカメラ１０の上面１０Ｂには、撮影を実行する際にユーザによって操作されるレリーズボタン１５が配置されている。図１に示すように、デジタルカメラ１０の後面１０Ｃには、上記光学フアインダ１１と，各種モードを切換えるモード切換スイッチ１６と，表示手段であるＬＣＤパネル４０と，ＬＣＤパネル４０を図１および図２に示すようにデジタルカメラ１０の後面１０Ｃに位置決めまたは解除するためのリリースキー１７などが配置されている。
【００１８】
選択手段であるモード切換スイッチ１６は、撮影時に被写体に光を照射する照明モードなどに切換えるスイッチであり、ＬＣＤパネル４０のＬＣＤ４０Ａにおける発光色または輝度を選択するスイッチである。
【００１９】
ＬＣＤパネル４０は、被写体像，各種メニュー，メッセージなどを表示するＬＣＤ４０Ａ、および発光ダイオード（ＬＥＤ），蛍光ランプなどの光源であるバックライト４０Ｂ（図３参照）を備え、このバックライト４０Ｂを用いてＬＣＤ４０Ａに光を照射すると共に、輝度（明るさ）を付与する構成となっている。
【００２０】
即ち、ＬＣＤ４０Ａは、視認性やコントラストなどに優れている透過タイプであり、それ自体では発光しない受光型の素子であるため外部から照射される光が必要となる。そのため、ＬＣＤ４０Ａは、その裏面に光源であるバックライト４０Ｂが配置されている。
【００２１】
デジタルカメラ１０は、ＬＣＤパネル４０がデジタルカメラ１０の後面１０Ｃに形成された凹部１０Ｄに嵌め込まれるモニタモード（図１および図２に示す初期位置）、および図４，図６に示すように凹部１０Ｄから飛び出してＬＣＤ（表示画面）４０Ａが撮影時での被写体に対向する撮影モード（すなわちＬＣＤ４０Ａが前面１０Ａに向く状態）を有する。
【００２２】
即ち、図１および図４に示すように、ＬＣＤパネル４０には移動手段の一部を構成する連結部４２が設けられており、この連結部４２がデジタルカメラ１０の下面１０Ｅ側に配置された支軸４３（図２，図６参照）を介してデジタルカメラ１０に連結されている。そのため、ＬＣＤパネル４０は、支軸４３を中心にして、モニタモード（図２参照）および撮影モード（図６参照）にそれぞれ移動（回転）する。
【００２３】
次に、図３に基づき、デジタルカメラ１０の制御系に関する構成について概略する。デジタルカメラ１０は、撮影時に撮影レンズ１２を通過した被写体を示す入射光の光量を制限するためのメカニカル・シャッタ及び絞り（以下、単に「シャッタ・絞り」という）１４と、上記入射光に基づき被写体を撮像して被写体像を示すアナログ画像信号を出力するＣＣＤによって構成された撮像デバイス１８と、入力された信号に対して所定のアナログ信号処理を施すアナログ信号処理部２０と、入力されたアナログ信号をデジタル信号に変換するアナログ／デジタル変換器（以下、単に「Ａ／Ｄ変換器」という）２２と、入力されたデジタル信号に対して所定のデジタル信号処理を施すデジタル信号処理部２４と、主として入力されたデジタル信号によって示される情報を記憶するＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）により構成されたメモリ２６と、入力されたデジタルデータを所定の圧縮形式（本実施形態では、ＪＰＥＧ（Ｊｏｉｎｔ  Ｐｈｏｔｏｇｒａｐｈｉｃ  Ｅｘｐｅｒｔｓ  Ｇｒｏｕｐ）形式）で圧縮する一方、入力された圧縮済みのデジタルデータを圧縮形式に応じた伸張形式で伸張する圧縮伸張部２８と、撮影レンズ１２、シャッタ・絞り１４、撮像デバイス１８、及びストロボ３０の各々を駆動させる駆動部３２と、を含んで構成されている。
【００２４】
撮影手段の一部を構成する撮像デバイス１８の出力端はアナログ信号処理部２０の入力端に、アナログ信号処理部２０の出力端はＡ／Ｄ変換器２２の入力端に、Ａ／Ｄ変換器２２の出力端はデジタル信号処理部２４の入力端に、デジタル信号処理部２４の出力端はメモリ２６の入力端に、各々接続されており、撮像デバイス１８による撮像によって得られたアナログ画像信号は、アナログ信号処理部２０により所定のアナログ信号処理が施され、次いでＡ／Ｄ変換器２２によりデジタル信号に変換された後、デジタル信号処理部２４により所定のデジタル信号処理が施されてデジタル画像データとしてメモリ２６に一旦記憶される。
【００２５】
駆動部３２の出力端には撮影レンズ１２、シャッタ・絞り１４，撮像デバイス１８，およびストロボ３０が接続されており、これら各部は駆動部３２によって駆動される。ストロボ３０は、露光に際して適正な露光光量が得られない低照度の場合に発光されるオートストロボタイプであり、放電管，リフレクタなどを備える。
【００２６】
なお、図３では、錯綜を回避するために、駆動部３２から撮影レンズ１２、シャッタ・絞り１４及びストロボ３０に対し、１本の線が分岐されて接続された状態が示されているが、実際には、駆動部３２から各部へは各々異なる配線によって接続されており、各部は各々異なる駆動信号に基づいて駆動する。
【００２７】
一方、デジタルカメラ１０は、デジタルカメラ１０全体の動作を司る制御手段のＣＰＵ（中央演算処理装置）３６を更に備えている。アナログ信号処理部２０，Ａ／Ｄ変換器２２，デジタル信号処理部２４，メモリ２６，圧縮伸張部２８，駆動部３２，デジタルＩ／Ｆ３４，ＣＰＵ３６，レリーズボタン１５およびモード切換スイッチ１６などで構成されている操作部４４，およびＬＣＤパネル４０がモニタモード（図２参照）か撮影モード（図６参照）かを検出するセンサーなどの検出部４６は各々メインバスＭＢに接続されている。
【００２８】
ＣＰＵ３６は、アナログ信号処理部２０，Ａ／Ｄ変換器２２，デジタル信号処理部２４，および圧縮伸張部２８における作動の制御、メモリ２６およびデジタルＩ／Ｆ３４に接続された外部の装置へのアクセス、操作部４４のユーザによる操作状態の検知、並びに検出部４６によるＬＣＤパネル４０の各モードの検知を行う。
【００２９】
さらに、メインバスＭＢにはタイミング信号を生成するタイミングジェネレータ（ＴＧ）３３が接続されており、ＴＧ３３はＣＰＵ３６から入力された撮影条件に応じた制御信号に基づいて、撮影レンズ１２，シャッタ・絞り１４，撮像デバイス１８，およびストロボ３０の各々に供給すべき駆動信号を生成し、駆動部３２に供給する。
【００３０】
また、ＣＰＵ３６は、撮像デバイス１８による撮像によって得られた画像のコントラストが最大となるように駆動部（具体的には焦点調整モータ）３２を駆動制御することによって合焦制御を行う。即ち、デジタルカメラ１０では、合焦制御として、読み取られた画像のコントラストが最大となるように撮影レンズ１２の位置を設定する、所謂ＴＴＬ（Ｔｈｒｏｕｇｈ  Ｔｈｅ  Ｌｅｎｓ）方式を採用しており、オートフォーカス・フレームによって示される撮影位置に被写体が位置した状態でリレーズボタン１５（図１参照）を半押しすることによって、自動的に合焦制御が為されるように構成されている。
【００３１】
メモリ２６の出力端は、図示しない記録メディア挿入部に挿入されて装着されたメモリカード３８に圧縮伸張部２８を介して接続されており、メモリ２６に記憶されたデジタル画像データは圧縮伸張部２８によって所定の圧縮形式で圧縮された後に画像ファイルとしてメモリカード３８に記憶される。
【００３２】
ＣＰＵ３６は、メモリカード３８に記憶されている圧縮処理されたデジタル画像データを、圧縮伸張部２８で伸張させ、メモリ２６を介して読み取る。また、メモリ２６の他の出力端はＬＣＤ４０Ａに接続されており、ＣＰＵ３６はメモリ２６に記憶されたデジタル画像データによって示される被写体像のＬＣＤ４０Ａへの表示や、メモリ２６を介して各種メニューやメッセージなどのＬＣＤ４０Ａへの表示を行う。
【００３３】
バックライト４０ＢとメインバスＭＢとの間には、切換スイッチ，抵抗器などで構成される切換手段のバックライト調整部が接続されている。そして、ＣＰＵ３６は、検出部４６の検出結果に基づいてＬＣＤパネル４０がモニタモードか撮影モードかを判断することにより、切換手段であるバックライト調整部４１に対し、バックライト４０Ｂにおける光の輝度の切換制御を行なう。
【００３４】
また、メモリ２６とＬＣＤ４０Ａとの間には、ＬＣＤ４０Ａに配置されたカラーフィルタ（図示省略）の透過率，色バランスなどを制御するためのＬＣＤ制御部３９が接続されている。そして、ＬＣＤ制御部３９は、上記カラーフィルタの透過率などを制御することにより、ＲＧＢ各色の画像に対応する上記カラーフィルタの画素の電極を駆動させる。なお、ＬＣＤ制御部３９はメインバスＭＢにも接続されており、ＣＰＵ３６からの制御信号がＬＣＤ制御部３９に入力される。
【００３５】
引続き、図７に基づき、ＬＣＤパネル４０のモード切換におけるバックライト４０Ｂの輝度または色切換処理について説明する。なお、図７は、ユーザによってデジタルカメラ１０の操作部４４に配置された電源スイッチ（図示省略）がオンされた際に、ＣＰＵ３６によって実行される。
【００３６】
また、本実施形態のデジタルカメラ１０では、撮影を行う際に、リリースキー１７を操作することにより、ＬＣＤパネル４０を図１および図２に示すモニタモードから図４乃至図６に示す撮影モードにする。さらに、本フローチャートは撮影処理（操作）が行われる毎に繰り返すプログラムであり、このプログラムはメモリ２６の所定領域に予め記憶されている。
【００３７】
ステップ１００では、図３に示す検出部４６の検出結果に基づき、ＬＣＤパネル４０が撮影モードであるか否かを判断する。ステップ１００が肯定の場合すなわち撮影モードである場合には、ステップ１０２において、ＬＣＤ４０Ａの透過率が最大となるような白色（単一色）で、かつバックライト４０ＢからＬＣＤ（表示画面）４０Ａに照射される光が最大の輝度（高輝度）になるようバックライト調整部４１を設定する。なお、ステップ１００の処理は、ＬＣＤパネル４０が撮影モードになるまで続けられる。
【００３８】
ステップ１０４ではリレーズボタン１５（図１参照）が半押しされたか否かを判断し、ステップ１０４が肯定の場合すなわち半押しされた場合にはステップ１０６でバックライト４０Ｂの輝度が被写体までの距離を測定するためのＡＦ（Ａｕｔｏｍａｔｉｃ  Ｆｏｃｕｓ：自動合焦）補助光となるよう最大輝度で点灯させる。
【００３９】
即ち、ステップ１０６では、ＬＣＤ４０Ａから上記ＡＦ補助光が被写体へ向かって照射されるので、上記ＴＴＬによって撮影レンズ１２から被写体までの距離が測定され、その距離に応じて自動的に合焦制御を行う。なお、ステップ１０６の処理後すなわち自動合焦（ＡＦ）の処理後は、ＬＣＤ４０Ａを消灯させる。また、ステップ１０４の処理は、レリーズボタン１５が半押されるまで続けられる。
【００４０】
本実施形態によれば、被写体または被写体の周囲が暗い場合でも、ＬＣＤパネル４０のＬＣＤ４０Ａから上記ＡＦ補助光が発光するので、ＡＦの精度が向上し、ピンボケの少ない撮影画を得ることができる。また、本実施形態によれば、ＬＣＤパネル４０をＬＣＤ（表示画面）４０Ａが撮影時での被写体に対向するよう連結部４２，支軸４３によって回転させ、バックライト４０Ｂの輝度がＡＦ補助光となるようバックライト調整部４１で高輝度に切換えるので、従来の技術よりも、構造が簡易になり、かつコストダウントになる。
【００４１】
ステップ１０８ではレリーズボタン１５が全押されたか否かを判断し、ステップ１０８が肯定の場合すなちわレリーズボタン１５が全押された場合にはステップ１１０で照明モードが選択されているか否かを判断する。この照明モードは、撮影前に、モード切換スイッチ１６によってＬＣＤ４０Ａにおける発光色または輝度を予め選択することによって行う任意のモードである。
【００４２】
ステップ１１０が肯定の場合すなわち照明モードが選択されている場合には、ステップ１１２において、選択された条件でＬＣＤ４０Ａを点灯させる。即ち、ステップ１１２では、バックライト調整部４１で調整された任意の輝度でバックライト４０Ｂを点灯させると共に、ＬＣＤ制御部３９によってＬＣＤ４０Ａのカラーフィルタ（図示省略）の透過率，色バランスなどを制御して赤色，ピンク色などの単一色のカラー画像を表示させる。
本実施形態では、ＬＣＤ４０Ａが被写体に対向する撮影時（撮影モード）において、モード切換スイッチ１６で選択された輝度（明るさ）で、そして色がＬＣＤ４０Ａから被写体に照射される。即ち、本実施形態によれば、予め選択した輝度における色が撮影時に被写体に照射されるので、撮影画に色に関するアクセントを付すことができ、撮影画に照明効果を出すことができる。なお、本実施形態では、選択する色は単一色などに限定されるものではなく、任意に変更できる。
【００４３】
ステップ１１４では、撮像デバイス１８のＣＣＤに結像された被写体像を、デジタル信号処理部２４などによって所定の画像処理を施したデジタル画像データとして、メモリカード３８に記録などをする撮影処理が行われる。なお、この撮影処理は、周知の処理と同様である。また、ステップ１１４の撮影処理後は、バックライト４０Ｂを消灯させる。
【００４４】
ステップ１１０が否定の場合すなわち照明モードが選択されていない場合には、ステップ１１４での撮影処理が行われる。即ち、照明モードが選択されていない場合には、撮影時において、バックライト４０ＢすなわちＬＣＤ４０Ａは消灯の状態である。
【００４５】
ステップ１０８が否定の場合すなちわレリーズボタン１５が全押されない場合には、ステップ１１６において、レリーズボタン１５が所定時間内でオフされた（レリーズボタン１５の全押し操作を途中で解除した）か否かを判断する。即ち、ステップ１１６の処理は、所定時間が経過するまで続けられる。なお、ステップ１１６が肯定の場合すなわちレリーズボタン１５がオフされた場合には、本フローチャートは終了する。
【００４６】
なお、本発明に係る表示手段は、ＬＣＤの他に、有機ＥＬディスプレイ，プラズマ・ディスプレイなどであっても良く、かつ表示手段自体に光源を備えるものなどであっても良い。また、表示画面が被写体に対向するよう表示手段を移動させる手段としては、回転機構の他に、スライド機構などであっても、同様に適用できる。
【００４７】
上記実施形態において説明したプログラムの処理の流れ（図７参照）は一例であり、本発明の主旨を逸脱しない範囲内において適宜変更可能であることは言うまでもない。また、上記実施形態の撮像装置はデジタルスチルカメラとした例であるが、本発明に係る撮像装置はデジタルビデオカメラ，撮像機能を備える携帯電話，パーソナル・コンピュータ，ＰＤＡ（Ｐｅｒｓｏｎａｌ    Ｄｉｇｉｔａｌ  Ａｓｓｉｓｔａｎｃｅ）などであっても、同様に適用できる。
【００４８】
【発明の効果】
以上説明したように、本発明によれば、被写体または被写体の周囲が暗い場合でも、表示手段の表示画面からＡＦ補助光が発光するので、ＡＦの精度が向上し、ピンボケの少ない撮影画を得ることができる。また、本発明によれば、表示手段を表示画面が撮影時での被写体に対向するよう移動手段によって移動させ、光源の輝度がＡＦ補助光となるよう切換手段で高輝度に切換える構成としたので、従来の技術よりも、構造が簡易になり、かつコストダウントになる。
【図面の簡単な説明】
【図１】本実施形態のデジタルカメラの後面側から見た斜視図である。
【図２】図１に示すデジタルカメラの側面図である。
【図３】図１に示すデジタルカメラのブロック図である。
【図４】図１に示すデジタルカメラの液晶ディスプレイ（ＬＣＤ）パネルを回転させた状態の斜視図である。
【図５】図４に示すデジタルカメラの前面側から見た斜視図である。
【図６】図５に示すデジタルカメラの側面図である。
【図７】ＬＣＤパネルのモード切換におけるバックライトの輝度または色切換処理に関するフローチャートである。
【符号の説明】
１０                  デジタルカメラ（撮像装置）
１２                  撮影レンズ（撮影手段）
１６                  モード切換スイッチ（選択手段）
１８                  撮像デバイス（撮影手段）
３６                  中央演算処理装置（制御手段）
４０                  ＬＣＤパネル（表示手段）
４０Ａ                ＬＣＤ（表示画面）
４０Ｂ                バックライト（光源）
４１                  バックライト調整部（切換手段）
４２                  ＬＣＤパネルの連結部（移動手段）
４３                  支軸（移動手段）
【図１】
2004229050.tif 000003
【図２】
2004229050.tif 000004
【図３】
2004229050.tif 000005
【図４】
2004229050.tif 000006
【図５】
2004229050.tif 000007
【図６】
2004229050.tif 000008
【図７】
2004229050.tif 000009